(57)【要約】【課題】繁雑な操作を行なうことなく、ユーザの好みの画質を実現することが可能な画像処理装置及び画像処理方法を提供する。【解決手段】マイコンは、ヒストグラム取得部によって生成されたヒストグラムに基づいて、ユーザが任意に変更可能なガンマ曲線の範囲（最小点Pmin及び最大点Pmax）を決定する。ガンマ調整画面を介して、最小点Pminと最大点Pmaxとの間の範囲内において、任意の調整点Ｐ１が設定され、設定された調整点Ｐ１に対応する出力階調が任意の値に変更された場合、マイコンは、変更されたガンマ曲線に対応するＬＵＴを生成し、生成したＬＵＴを用いたガンマ補正処理を行なって液晶モジュールに表示させる。【選択図】図２
2010016555.tif 000002
【特許請求の範囲】
【請求項１】
入力された画像信号の入力階調を、該入力階調に応じた出力階調に補正して出力する補正手段と、該補正手段が出力した画像信号に基づく画像を表示装置に表示させる表示制御手段とを備える画像処理装置において、
前記画像信号に含まれる画素の、各入力階調に対する画素数を示す階調分布を生成する生成手段と、
該生成手段が生成した階調分布に基づいて、対応する出力階調の変更が可能な入力階調の範囲を決定する決定手段と、
該決定手段が決定した範囲内で前記出力階調の変更を受け付ける受付手段とを備え、
前記補正手段は、前記受付手段が変更を受け付けた出力階調に基づいて、前記画像信号の入力階調を、該入力階調に応じた出力階調に補正するように構成してあること
を特徴とする画像処理装置。
【請求項２】
前記決定手段は、前記画像信号に含まれる全画素数に対して所定の割合の画素数の画素を含む範囲を決定するように構成してあることを特徴とする請求項１に記載の画像処理装置。
【請求項３】
前記生成手段が生成した階調分布と、前記補正手段が行なう補正処理における入力階調と出力階調との関係を示す補正特性とを表示する表示画面情報生成手段を備え、
前記表示制御手段は、前記表示画面情報生成手段が生成した表示画面情報に基づく表示画面を前記表示装置に表示させるように構成してあること
を特徴とする請求項１又は２に記載の画像処理装置。
【請求項４】
前記表示制御手段は、前記表示画面情報生成手段が生成した表示画面情報に基づく表示画面を、前記画像信号に基づく画像に重畳させて前記表示装置に表示させるように構成してあること
を特徴とする請求項３に記載の画像処理装置。
【請求項５】
前記表示画面情報生成手段は、前記決定手段が決定した範囲内の前記階調分布及び前記補正特性を拡大表示するように構成してあることを特徴とする請求項３又は４に記載の画像処理装置。
【請求項６】
前記受付手段が変更を受け付けた出力階調に基づいて、前記補正手段が行なう補正処理における入力階調と出力階調とを対応付けたルックアップテーブルを生成する手段と、
生成されたルックアップテーブルを記憶する記憶手段とを備え、
前記補正手段は、前記記憶手段に記憶してあるルックアップテーブルに基づいて、前記画像信号の入力階調を補正するように構成してあることを特徴とする請求項１から５までのいずれかひとつに記載の画像処理装置。
【請求項７】
入力された画像信号の入力階調を、該入力階調に応じた出力階調に補正し、補正した画像信号に基づく画像を表示装置に表示させる画像処理方法において、
前記画像信号に含まれる画素の、各入力階調に対する画素数を示す階調分布を生成するステップと、
生成した階調分布に基づいて、対応する出力階調の変更が可能な入力階調の範囲を決定するステップと、
決定した範囲内で前記出力階調の変更を受け付けるステップと、
変更を受け付けた出力階調に基づいて、前記画像信号の入力階調を、該入力階調に応じた出力階調に補正するステップと
を含むことを特徴とする画像処理方法。
【発明の詳細な説明】
【技術分野】
【０００１】
本発明は、画像を表示させる表示装置の特性に応じて、表示すべき画像信号の階調を補正する画像処理装置及び画像処理方法に関する。
【背景技術】
【０００２】
ＬＣＤ（Liquid Crystal Display）モニタ、ＰＤＰ（Plasma Display Panel）モニタ、有機ＥＬ（Electro Luminescence）モニタ等の表示装置は、入力される画像信号の階調と、表示する画像の輝度との間に固有の入出力関係（以下、階調特性という）を有する。このような階調特性を有することにより、表示装置では、入力される画像信号とは異なる明るさの特性を有する画像が表示されることがある。
【０００３】
そこで、表示装置では、入力画像の階調値と出力画像の輝度値との関係を示す階調特性（以下、ガンマ曲線という）に従って、入力画像の各階調値に対してガンマ補正を行なうことにより、入力階調と出力輝度との関係を補正するようにしてある。このような構成により、表示装置は、入力画像とほぼ同じ明るさの特性を有する画像を表示することが可能となる。
【０００４】
特許文献１には、表示装置の階調特性を考慮して複数のガンマ曲線が予め用意されており、表示する画像信号（映像信号）の階調ヒストグラムに従ってガンマ曲線（ガンマ補正用テーブル）を変更する装置が開示されている。このような装置を用いることにより、入力された画像信号の階調値の特徴に応じた適切なガンマ曲線に基づくガンマ補正処理を行なうことができる。
【０００５】
特許文献２には、入力映像信号の階調分布を示すヒストグラムから低階調部の階調とびの有無、低階調部の階調つぶれ度合いを検出し、検出結果に応じてガンマ補正を行なうか否かを決定し、行なう場合にはガンマ補正量を決定する装置が開示されている。このような装置を用いることにより、階調とびの有無及び階調つぶれ度合いに応じたガンマ補正量を決定でき、どのような入力画像に対しても最適なガンマ補正処理を行なうことができる。
【特許文献１】特開平０６−２３０７６０号公報
【特許文献２】特開平１０−１２６６１９号公報
【発明の開示】
【発明が解決しようとする課題】
【０００６】
しかし、特許文献１，２の装置では、予め用意されたガンマ曲線（ガンマ補正用テーブル）を自動的に変更するので、必ずしもユーザの好みの画質を実現するものではない。また、ユーザが好みの画質を実現するために任意のガンマ曲線を選択することはできないという問題があった。
【０００７】
本発明は、斯かる事情に鑑みてなされたものであり、その目的とするところは、繁雑な操作を行なうことなく、ユーザの好みの画質を実現するための補正処理に用いる情報を設定することが可能な画像処理装置及び画像処理方法を提供することにある。
【課題を解決するための手段】
【０００８】
本発明に係る画像処理装置は、入力された画像信号の入力階調を、該入力階調に応じた出力階調に補正して出力する補正手段と、該補正手段が出力した画像信号に基づく画像を表示装置に表示させる表示制御手段とを備える画像処理装置において、前記画像信号に含まれる画素の、各入力階調に対する画素数を示す階調分布を生成する生成手段と、該生成手段が生成した階調分布に基づいて、対応する出力階調の変更が可能な入力階調の範囲を決定する決定手段と、該決定手段が決定した範囲内で前記出力階調の変更を受け付ける受付手段とを備え、前記補正手段は、前記受付手段が変更を受け付けた出力階調に基づいて、前記画像信号の入力階調を、該入力階調に応じた出力階調に補正するように構成してあることを特徴とする。
【０００９】
本発明によれば、画像信号に含まれる画素において、各入力階調に対する画素数を示す階調分布を生成し、生成した階調分布に基づいて、対応する出力階調の変更が可能な入力階調の範囲を決定し、決定した範囲内で出力階調の変更を受け付ける。また、本発明によれば、変更を受け付けた出力階調に基づいて画像信号を補正し、補正した画像信号に基づく画像を表示装置に表示させる。よって、入力階調に応じた出力階調をユーザが任意に設定でき、設定された出力階調に基づく補正処理が可能となる。また、画像信号の階調分布に基づいて出力階調の変更が可能な範囲を自動的に決定するので、ユーザが、どの範囲で出力階調を変更すればよいかを判断する手間が省け、操作の簡略化が可能となる。
【００１０】
本発明に係る画像処理装置は、前記決定手段は、前記画像信号に含まれる全画素数に対して所定の割合の画素数の画素を含む範囲を決定するように構成してあることを特徴とする。
【００１１】
本発明によれば、ユーザが出力階調を任意に変更できる範囲を適切に決定することによって、ガンマ補正処理によって高画質を実現できるようなガンマ曲線（出力階調）への変更を受け付けることが可能となり、画像信号に影響を与えない範囲でのガンマ曲線の変更を回避することが可能となる。
【００１２】
本発明に係る画像処理装置は、前記生成手段が生成した階調分布と、前記補正手段が行なう補正処理における入力階調と出力階調との関係を示す補正特性とを表示する表示画面情報生成手段を備え、前記表示制御手段は、前記表示画面情報生成手段が生成した表示画面情報に基づく表示画面を前記表示装置に表示させるように構成してあることを特徴とする。
【００１３】
本発明によれば、画像信号から生成した階調分布と、補正処理における入力階調と出力階調との関係を示す補正特性とを表示装置に表示させる。よって、ユーザは、階調分布を参照しながら、補正特性（ガンマ曲線）に対する変更を設定することが可能となり、変更操作における操作性を向上させることが可能となる。
【００１４】
本発明に係る画像処理装置は、前記表示制御手段は、前記表示画面情報生成手段が生成した表示画面情報に基づく表示画面を、前記画像信号に基づく画像に重畳させて前記表示装置に表示させるように構成してあることを特徴とする。
【００１５】
本発明によれば、画像信号から生成した階調分布と、補正処理における入力階調及び出力階調の関係を示す補正特性とを表示する表示画面を、画像信号に基づく画像に重畳させて表示装置に表示させる。よって、ユーザは、任意に設定した出力階調（補正特性）と共に、この補正特性に基づく補正処理が施された画像を同時に確認することが可能となる。また、ユーザは、自身が設定した補正特性に基づく補正処理の影響を確認できると共に、確認後、更なる変更が可能となる。
【００１６】
本発明に係る画像処理装置は、前記表示画面情報生成手段は、前記決定手段が決定した範囲内の前記階調分布及び前記補正特性を拡大表示するように構成してあることを特徴とする。
【００１７】
本発明によれば、階調分布に基づいて決定した変更可能な入力階調の範囲において、表示画面中の階調分布及び補正特性を拡大表示する。よって、ユーザにより任意に設定できる範囲の階調分布及び補正特性を見易く表示することが可能となる。
【００１８】
本発明に係る画像処理装置は、前記受付手段が変更を受け付けた出力階調に基づいて、前記補正手段が行なう補正処理における入力階調と出力階調とを対応付けたルックアップテーブルを生成する手段と、生成されたルックアップテーブルを記憶する記憶手段とを備え、前記補正手段は、前記記憶手段に記憶してあるルックアップテーブルに基づいて、前記画像信号の入力階調を補正するように構成してあることを特徴とする。
【００１９】
本発明によれば、ユーザからの設定により変更を受け付けた出力階調に基づいて、補正処理における入力階調と出力階調とを対応付けたルックアップテーブルを生成し、生成されたルックアップテーブルを記憶手段に記憶させておく。そして、記憶手段に記憶してあるルックアップテーブルに基づいて、画像信号の入力階調を補正し、補正した画像信号に基づく画像を表示装置に表示させる。よって、ルックアップテーブルを用いて補正処理を行なうことにより、処理の簡略化及び処理時間の短縮が図れる。
【００２０】
本発明に係る画像処理方法は、入力された画像信号の入力階調を、該入力階調に応じた出力階調に補正し、補正した画像信号に基づく画像を表示装置に表示させる画像処理方法において、前記画像信号に含まれる画素の、各入力階調に対する画素数を示す階調分布を生成するステップと、生成した階調分布に基づいて、対応する出力階調の変更が可能な入力階調の範囲を決定するステップと、決定した範囲内で前記出力階調の変更を受け付けるステップと、変更を受け付けた出力階調に基づいて、前記画像信号の入力階調を、該入力階調に応じた出力階調に補正するステップとを含むことを特徴とする。
【００２１】
本発明によれば、入力階調に応じた出力階調をユーザが任意に設定でき、設定された出力階調に基づく補正処理が可能となる。また、画像信号の階調分布に基づいて出力階調の変更が可能な範囲を自動的に決定するので、ユーザが、どの範囲で出力階調を変更すればよいかを判断する手間が省け、操作の簡略化が可能となる。
【発明の効果】
【００２２】
本発明では、画像信号の入力階調に応じた出力階調をユーザが任意に設定することができるので、このような階調特性の補正処理を画像信号に行なうことで、ユーザの好みの画質を実現することができる。また、ユーザが任意に設定できる範囲を、画像信号における階調分布に基づいて自動的に決定するので、ユーザは、決定された範囲内で入力階調に対応する出力階調の変更（設定）を行なえばよく、ユーザによる操作手順を簡略化することができ、操作負担を軽減させることができる。
【発明を実施するための最良の形態】
【００２３】
以下に、本発明に係る画像処理装置及び画像処理方法を、その実施形態である液晶テレビを示す図面に基づいて説明する。なお、本発明の画像処理装置は、液晶テレビに限られず、例えば、液晶ディスプレイ（ＬＣＤモニタ）、プラズマディスプレイ（ＰＤＰモニタ）、有機ＥＬディスプレイ（有機ＥＬモニタ）等の表示装置、これらの表示装置に接続可能なパーソナルコンピュータ（ＰＣ）等の情報処理装置等に適用することができる。
【００２４】
図１は本実施形態に係る液晶テレビの構成例を示すブロック図である。なお、図１中の符号は放送信号、映像信号（画像信号）、音声信号、ＥＰＧ（Electronic Program Guide）信号、制御信号等の各信号、又は各種の情報の流れをそれぞれ示している。本実施形態の液晶テレビ１は、チューナ１０、外部入力部１１、ＡＶセレクタ１２、分離部１３、音声デコーダ１４、映像デコーダ１５、ＥＰＧデコーダ１６、音声処理部１７、スピーカ１８、ビデオプロセッサ１９、液晶モジュール２０、マイコン２１、メモリ２２、操作部２３、ＯＳＤ（On Screen Display ）ジェネレータ２４等を備えている。
【００２５】
チューナ１０は、例えば地上波デジタル放送信号、ＢＳデジタル放送信号、ＣＳデジタル放送信号等のデジタルの放送信号を受信するためのデジタルチューナである。チューナ１０は、アンテナ１０ａに接続されており、例えば操作部２３を介してユーザにより選択された放送チャンネルに応じて、アンテナ１０ａが受信した電波を検波し、得られた放送波から放送信号を取得し、取得した放送信号をＡＶセレクタ１２へ送出する。
【００２６】
なお、チューナ１０は、例えばＵＨＦテレビジョン放送信号、ＶＨＦテレビジョン放送信号、ＢＳアナログ放送信号、ＣＳアナログ放送信号等のアナログの放送信号を受信するためのアナログチューナであってもよい。
【００２７】
外部入力部１１は、例えばケーブルを介して外部の装置の映像信号出力部及び音声信号出力部（図示せず）に接続されており、外部の装置からデジタルの映像信号及び音声信号を取得する。外部入力部１１は、外部の装置から取得したデジタルの映像信号及び音声信号をＡＶセレクタ１２へ送出する。なお、外部の装置としては、記録媒体に映像信号及び音声信号を記録し、記録媒体に記録された映像信号及び音声信号を再生する記録再生装置、ゲーム機等がある。
【００２８】
ＡＶセレクタ１２は、チューナ１０から送出されてくる放送信号、又は外部入力部１１から送出されてくる信号（映像信号及び音声信号）の一方を選択し、選択した信号を分離部１３へ送出する。
【００２９】
分離部１３は、チューナ１０が取得した放送信号をＡＶセレクタ１２から取得した場合、放送信号を映像信号（ＲＧＢ信号（Ｒ：赤、Ｇ：緑、Ｂ：青））及び音声信号に分離し、それぞれを映像デコーダ１５又は音声デコーダ１４へ送出する。また、分離部１３は、外部入力部１１を介して入力された映像信号及び音声信号をＡＶセレクタ１２から取得した場合、取得した映像信号及び音声信号をそれぞれ映像デコーダ１５又は音声デコーダ１４へ送出する。
【００３０】
なお、アンテナ１０ａが受信する電波には、放送信号に係る電波のほかに、各放送局が放送する放送番組のジャンル、放送チャンネル、放送開始日時及び放送終了日時等を示す番組情報を含むＥＰＧ（電子番組表）信号に係る電波が定期的に含まれる。従って、分離部１３は、チューナ１０が取得した放送信号にＥＰＧ信号が含まれる場合、放送信号を映像信号、音声信号及びＥＰＧ信号に分離し、それぞれを映像デコーダ１５、音声デコーダ１４又はＥＰＧデコーダ１６へ送出する。
【００３１】
音声デコーダ１４は、分離部１３から送出されてきた音声信号に対して所定の復号化伸張処理を実行し、得られた音声信号を音声処理部１７へ送出する。音声処理部１７は、音声デコーダ１４から送出されてきた音声信号に対して所定の信号処理を実行した後、スピーカ１８へ送出する。スピーカ１８は、音声処理部１７から送出されてきた音声信号に基づく音声を出力する。従って、スピーカ１８は、チューナ１０が取得した放送信号に含まれる音声信号又は外部入力部１１を介して入力された音声信号に基づく音声を出力する。
【００３２】
なお、音声処理部１７は、Ａ／Ｄ変換器（アナログ／デジタル変換器）、Ｄ／Ａ変換器（デジタル／アナログ変換器）及び増幅器（共に図示せず）等を有しており、音声デコーダ１４から取得したアナログの音声信号をデジタルの音声信号に変換する。また、音声処理部１７は、デジタルの音声信号に対して所定の信号処理を実行した後、Ｄ／Ａ変換器によってアナログの音声信号に再度変換し、更に必要に応じて増幅器によって所定の大きさに増幅させた後、スピーカ１８へ送出する。
【００３３】
映像デコーダ１５は、分離部１３から送出されてきた映像信号に対して所定の復号化伸張処理を実行し、得られた映像信号をビデオプロセッサ１９へ送出する。詳細には、映像デコーダ１５は、Ａ／Ｄ変換器を有しており、入力信号がアナログの場合、アナログの映像信号をデジタルの映像信号に変換してビデオプロセッサ１９へ送出する。ＥＰＧデコーダ１６は、分離部１３から送出されてきたＥＰＧ信号に対して所定の復号化伸張処理を実行し、得られたＥＰＧ信号をビデオプロセッサ１９へ送出する。
【００３４】
ビデオプロセッサ１９は、映像処理部１９１、ヒストグラム取得部１９２及びガンマ補正部１９３、出力部１９４等を備えており、映像デコーダ１５から送出されてくる映像信号及びＥＰＧデコーダ１６から送出されてくるＥＰＧ信号は、ビデオプロセッサ１９の映像処理部１９１に入力される。
【００３５】
映像処理部１９１は、映像デコーダ１５から送出されてきた映像信号又はＥＰＧデコーダ１６から送出されてきたＥＰＧ信号に対して、例えば、ＩＰ（インターレース／プログレッシブ）変換処理、ティント、カラーゲイン処理、エッジ強調処理、カラーマトリクス補正処理等の各種の信号処理を実行する。
【００３６】
映像処理部１９１は、映像信号のＹ信号（輝度信号）及びＣ信号（色信号）に対してＩＰ変換処理を行なって、静止部分のチラツキを抑えると共に、動きのある映像を自然な動きで再現できる映像信号を生成する。また、映像処理部１９１は、更に、カラーマトリクス補正処理等を行なって、鮮やかな色を再現できる映像信号を生成する。なお、映像処理部１９１は、上述した処理のほかに、映像の調整、例えば明るさ、黒レベル、色の濃さ、色あい、エンハンス（画像強調）、コントラスト等の調整処理を行なうように構成されていてもよい。
【００３７】
映像処理部１９１は、上述したような各種の信号処理を実行して得られた映像信号（Ｙ信号及びＣ信号）をＲＧＢの映像信号（ＲＧＢ信号）に変換してガンマ補正部１９３へ送出すると共に、Ｙ信号をヒストグラム取得部１９２へ送出する。
【００３８】
ガンマ補正部（補正手段）１９３は、映像処理部１９１から送出されてきた映像信号（ＲＧＢ信号）に対して、マイコン２１を介して入力されたルックアップテーブル（以下、ＬＵＴという）２２ａに基づくガンマ補正処理を実行する。なお、ＬＵＴ２２ａは、ガンマ補正部１９３によるガンマ補正処理に用いるガンマ曲線を示しており、具体的には、映像信号（画像信号）の色成分（ＲＧＢ）毎に、ガンマ補正前の階調（入力階調）と、ガンマ補正後の階調（出力階調）とを対応付けて記憶している。
【００３９】
ガンマ補正部１９３は、ＬＵＴ２２ａに従って、映像処理部１９１から送出されてきた映像信号の各色成分毎に、各画素の入力階調（輝度）を、各入力階調に応じた出力階調（出力輝度）に変換し、得られた映像信号（出力階調）を出力部１９４へ送出する。出力部（表示制御手段）１９４は、ガンマ補正部１９３から送出されてきた映像信号を所定のタイミングに従って液晶モジュール２０へ送出して液晶モジュール２０に表示させる。
【００４０】
液晶モジュール２０は、液晶ディスプレイ、プラズマディスプレイ等からなる表示装置であり、ビデオプロセッサ１９から送出されてくる映像信号に基づく映像を表示させる。例えば、液晶モジュール２０は、チューナ１０が取得した放送信号に含まれる映像信号に基づく映像、外部入力部１１を介して入力された映像信号に基づく映像等を表示する。
【００４１】
ヒストグラム取得部１９２は、映像処理部１９１から送出されてきたＹ信号（輝度信号）に基づいて、映像信号のＹ信号におけるヒストグラムを生成する。ヒストグラムは、映像信号に含まれる画素において、各輝度（入力階調）値（Ｙ信号の値）に対する画素数を示す階調分布であり、ヒストグラム取得部１９２は、階調分布を生成する生成手段として動作する。ヒストグラム取得部１９２は、生成したヒストグラムをマイコン２１へ送出する。
【００４２】
マイコン２１は、演算を行なうＣＰＵ（Central Processing Unit ）、ＣＰＵが行なう演算の制御手順を示す制御プログラム等を記憶したＲＯＭ（Read Only Memory）、ＣＰＵが行なう演算に伴う一時的な情報を記憶するＲＡＭ（Random Access Memory）等を備える。マイコン２１は、ＣＰＵがＲＯＭに予め格納されている制御プログラムをＲＡＭに読み出して実行することにより、液晶テレビ１が備えるハードウェア各部の動作を制御して装置全体を本発明の画像処理装置として機能させる。
【００４３】
なお、図１では、マイコン２１はヒストグラム取得部１９２、ガンマ補正部１９３、メモリ２２、操作部２３、ＯＳＤジェネレータ２４に接続されている構成を示しているが、マイコン２１はその他のハードウェア各部とも接続されている。上述したハードウェア各部は、マイコン２１からの指示に従ってそれぞれ動作する。
【００４４】
メモリ（記憶手段）２２は、例えばフラッシュメモリであり、ガンマ補正部１９３によるガンマ補正処理に用いられるＬＵＴ２２ａ、液晶テレビ１における各種のメニュー画面をＯＳＤ表示するためのＯＳＤ画面データ等を予め記憶している。マイコン２１がメモリ２２からＬＵＴ２２ａを読み出してガンマ補正部１９３へ送出することにより、ガンマ補正部１９３は、映像処理部１９１から送出されてきた映像信号に対してＬＵＴ２２ａを用いたガンマ補正処理を行なうことができる。
【００４５】
ＯＳＤジェネレータ２４は、マイコン２１から送出されてくる各種の情報に基づいてＯＳＤ画面データを生成し、生成したＯＳＤ画面データをビデオプロセッサ１９の出力部１９４へ送出する。
出力部１９４は、ガンマ補正部１９３から送出されてくる映像信号に基づく映像の上に、ＯＳＤジェネレータ２４から送出されてきたＯＳＤ画面データに基づくＯＳＤ画面を重畳させて液晶モジュール２０へ送出する。これにより、液晶モジュール２０で表示される映像の上に各種の情報を示すＯＳＤ画面を表示させることができる。
【００４６】
なお、ＯＳＤ画面データは、例えば、液晶テレビ１の動作状況、ユーザに通知すべき情報等を表示するためのものである。本実施形態では、ガンマ補正部１９３によるガンマ補正処理に用いるガンマ曲線を設定する際のガンマ調整画面もＯＳＤ画面として表示することとする。
【００４７】
操作部２３は、液晶テレビ１をユーザが操作するために必要な各種の操作キーを備えており、ユーザにより各操作キーが操作された場合、操作された操作キーに対応した制御信号をマイコン２１へ送出する。マイコン２１は、操作部２３から取得した制御信号に従って、対応する制御プログラムをＣＰＵによって実行することにより、操作部２３を操作するユーザからの操作指示に従った動作を実行する。
【００４８】
なお、図示しないが、本実施形態の液晶テレビ１は、リモートコントロール装置（以下、リモコンという）によって遠隔からの操作が可能に構成されている。液晶テレビ１とリモコンとは、例えば、赤外線を利用した家電製品協会規格、ＩＥＥＥ８０２．１１ｂ規格、Bluetooth規格等に従った無線通信によって通信を行なう。液晶テレビ１は、リモコンから送信されてくる信号を受信する受信部（図示せず）を備え、受信部にて受信した信号をマイコン２１へ送出する。
【００４９】
マイコン２１は、受信部から送出されてくる信号に従って、対応する制御プログラムをＣＰＵによって実行することにより、リモコンを操作するユーザからの操作指示に従った動作を実行する。なお、以下では、リモコンも操作部２３に含め、リモコンを介したユーザからの操作も操作部２３の操作として説明する。また、操作部２３には、例えば、１〜１２の数字キー、十字キー（上下左右キー）、決定キー及びクリアキー等が設けられている。
【００５０】
上述した構成により、液晶テレビ１は、チューナ１０が取得した放送信号に基づく映像及び音声をそれぞれ液晶モジュール２０及びスピーカ１８によって出力することができる。また、液晶テレビ１は、外部入力部１１から入力された映像信号に基づく映像及び音声信号に基づく音声をそれぞれ液晶モジュール２０及びスピーカ１８によって出力することができる。
【００５１】
ここで、本実施形態の液晶テレビ１は、ガンマ補正部１９３が行なうガンマ補正処理に用いるＬＵＴ２２ａ（ガンマ曲線）の一部をユーザが任意に変更できるように構成してある。以下に、ガンマ曲線の設定処理について説明する。
【００５２】
液晶テレビ１において、ユーザが操作部２３を操作することにより、ガンマ曲線を設定するためのガンマ設定モードを選択した場合、マイコン２１は、メモリ２２に格納されているデフォルトのＯＳＤ画面データ（ガンマ調整画面データ）を読み出す。マイコン２１は、メモリ２２から読み出したガンマ調整画面データをＯＳＤジェネレータ２４へ送出する。ＯＳＤジェネレータ（表示画面情報生成手段）２４は、マイコン２１から送出されてきたガンマ調整画面データに基づいて、液晶モジュール２０に表示すべきガンマ調整画面データ（表示画面情報）を生成してビデオプロセッサ１９の出力部１９４へ送出する。
【００５３】
出力部１９４は、ＯＳＤジェネレータ２４から送出されてきたガンマ調整画面データに基づくガンマ調整画面（ＯＳＤ画面）を、ガンマ補正部１９３から送出されてくる映像信号に基づく映像に重畳させて液晶モジュール２０に表示させる。なお、ここでは、図２に示すようなガンマ調整画面が表示される。
【００５４】
図２乃至図４はガンマ調整画面の構成例を示す模式図である。図２に示すガンマ調整画面には、新規調整点追加、調整点移動、出力階調設定、終了の４つの項目を含むメニューが表示されており、ユーザが操作部２３の上下キーを操作することによって、４つの項目のいずれかを選択できるようにしてある。また、ガンマ調整画面には、ヒストグラム取得部１９２によって生成されたヒストグラムと、メモリ２２に予め格納されている基準（デフォルト）のガンマ曲線（光学階調特性、ガンマ特性、補正特性）とが表示される。
【００５５】
図２に示すガンマ調整画面中のヒストグラムは、横軸に入力階調（輝度値）を、縦軸に度数（画素数）をそれぞれ示している。また、図２に示すガンマ調整画面中のガンマ曲線は、横軸に、ガンマ補正部１９３によってガンマ補正処理が行なわれる前の画像信号の階調（入力階調）を、縦軸に、ガンマ補正部１９３によってガンマ補正処理が行なわれた後の画像信号の階調（出力階調）をそれぞれ示している。
【００５６】
ここで、本実施形態の液晶テレビ１において、マイコン（決定手段）２１は、ガンマ調整画面を液晶モジュール２０に表示させる際に、ヒストグラム取得部１９２によって生成されたヒストグラムに基づいて、ユーザが任意に変更可能なガンマ曲線の範囲を決定する。なお、範囲は、入力階調（輝度）に対して決定される。
【００５７】
具体的には、マイコン２１は、例えば、映像信号に含まれる各画素の輝度（階調）の平均輝度を中心として、映像信号に含まれる全画素数の８０％の画素が含まれる範囲、又は、標準偏差が所定値となる範囲を、変更可能範囲に決定する。マイコン２１は、決定した範囲を示す最小輝度及び最大輝度と、ヒストグラム取得部１９２によって生成されたヒストグラムとをＯＳＤジェネレータ２４へ送出する。
【００５８】
ＯＳＤジェネレータ２４は、マイコン２１から取得したガンマ調整画面データ、最小輝度及び最大輝度、ヒストグラムに基づいて、図２に示すように、最小輝度と最大輝度とをそれぞれ示す２つの破線がヒストグラム及びガンマ曲線にわたって追加されると共に、最小輝度に対応する最小点Pminと最大輝度に対応する最大点Pmaxとがガンマ曲線に追加されたガンマ調整画面データを生成してビデオプロセッサ１９の出力部１９４へ送出する。これにより、図２に示すようなガンマ調整画面を液晶モジュール２０に表示させることができる。
【００５９】
このように、本実施形態の液晶テレビ１は、映像信号から生成されたヒストグラムに基づいて、ガンマ曲線の変更が可能な範囲を自動的に決定するので、ユーザは、決定された範囲内でガンマ曲線の変更指示を行なえばよい。従って、ガンマ曲線を変更させる範囲を特定する操作手間を省くことができると共に、映像信号に影響を与えない範囲でのガンマ曲線の変更のような無駄な操作を回避することができる。また、図２に示すように、２つの破線によって、ガンマ曲線の変更可能な範囲を示すことにより、ユーザは、どの範囲でガンマ曲線を変更すればよいかを容易に把握できるので、操作性を向上させることができる。
【００６０】
また、図２に示すガンマ調整画面は、最小点Pminと最大点Pmaxとの間以外の範囲、即ち、最小点Pminよりも入力階調が小さい範囲と最大点Pmaxよりも入力階調が大きい範囲に対しては、ガンマ曲線の変更ができないようにしてある。これにより、ユーザが誤った範囲でガンマ曲線の変更操作を行なうことがなく、効率よくガンマ曲線の設定処理を行なえる。また、ガンマ曲線とヒストグラムとを同時に表示することによって、現在表示中の映像をより高画質で表示させるためにガンマ曲線のどの部分を変更すればよいかの判断が容易となる。
【００６１】
図２に示すガンマ調整画面において、ユーザが「新規調整点追加」項目を選択した場合、マイコン２１は、ガンマ曲線の最小点Pminの近傍に新規調整点Ｐ１を追加する。この状態でユーザが「調整点移動」項目を選択した場合、マイコン２１は、図３に示すようなメニューのガンマ調整画面を出力部１９４を介して液晶モジュール２０に表示させる。
【００６２】
図３に示すガンマ調整画面のメニューは、「調整点移動」項目が選択された状態を示しており、調整点Ｐ１の位置を移動させるための手順を表示している。具体的には、右キーは、現在選択されている調整点（図３においては調整点は１つであるので調整点Ｐ１）を白抜き矢符で示すように右（実際には右斜め上）方向へ移動させるためのキーであり、左キーは、現在選択されている調整点を白抜き矢符で示すように左（実際には左斜め下）方向へ移動させるためのキーであることを示している。
【００６３】
また、上キーは、現在選択されている調整点よりも高い入力階調の調整点を選択するためのキーであり、下キーは、現在選択されている調整点よりも低い入力階調の調整点を選択するためのキーであることを示している。また、決定キーは、このような調整点の位置を移動させる操作を終了するためのキーである。
【００６４】
即ち、図３に示すガンマ調整画面において、ユーザが右キーを操作した場合、マイコン２１は、調整点Ｐ１をガンマ曲線に沿って入力階調が所定量だけ高階調の位置（点）に移動させる。また、ユーザが左キーを操作した場合、マイコン２１は、調整点Ｐ１をガンマ曲線に沿って入力階調が所定量だけ低階調の位置（点）に移動させる。また、ユーザが上キー又は下キーを操作した場合、マイコン２１は、位置を移動させる処理の対象となる調整点を適宜変更する。
【００６５】
図２に示すガンマ調整画面において、ユーザが「出力階調設定」項目を選択した場合、又は、図３に示すガンマ調整画面においてユーザが決定キーを操作して調整点移動の処理を終了させた後に「出力階調設定」項目を選択した場合、マイコン２１は、図４に示すようなメニューのガンマ調整画面を出力部１９４を介して液晶モジュール２０に表示させる。
【００６６】
図４に示すガンマ調整画面のメニューは、「出力階調設定」項目が選択された状態を示しており、調整点Ｐ１における出力階調を変更（設定）するための手順を表示している。具体的には、上キーは、現在選択されている調整点（図４においては調整点は１つであるので調整点Ｐ１）における出力階調を白抜き矢符で示すように上方向（高階調）へ変更させるためのキーであり、下キーは、現在選択されている調整点における出力階調を白抜き矢符で示すように下方向（低階調）へ変更させるためのキーであることを示している。
【００６７】
また、右キーは、現在選択されている調整点よりも高い入力階調の調整点を選択するためのキーであり、左キーは、現在選択されている調整点よりも低い入力階調の調整点を選択するためのキーであることを示している。また、決定キーは、このように各調整点に対する出力階調を変更させる操作を終了するためのキーである。
【００６８】
即ち、図４に示すガンマ調整画面において、ユーザが上キーを操作した場合、マイコン２１は、調整点Ｐ１の出力階調を高階調側に所定量だけ移動させる。また、ユーザが下キーを操作した場合、マイコン２１は、調整点Ｐ１の出力階調を低階調側に所定量だけ移動させる。また、マイコン２１は、このような調整点Ｐ１の移動に伴って最小点Pminから最大点Pmaxまでの間において、ガンマ曲線を補間する。なお、ガンマ曲線を補間する場合、例えばベジェ曲線又はスプライン曲線等に従って、最小点Pmin、最大点Pmax、調整点Ｐ１を通るガンマ曲線を生成すればよい。
また、ユーザが右キー又は左キーを操作した場合、マイコン２１は、出力階調を変更させる処理の対象となる調整点を適宜変更する。
【００６９】
図５はガンマ調整画面を介して変更されたガンマ曲線の例を示す模式図である。図５（ａ）には、１つの調整点Ｐ１に対して出力階調を白抜き矢符で示す量だけ高階調に変更した場合のガンマ曲線を示している。図５（ｂ）には、２つの調整点Ｐ１，Ｐ２に対してそれぞれ出力階調を白抜き矢符で示す量だけ高階調に変更した場合のガンマ曲線を示している。図５（ｃ）には、１つの調整点Ｐ１に対して出力階調を白抜き矢符で示す量だけ低階調に変更した場合のガンマ曲線を示している。
【００７０】
マイコン２１は、上述したように、各調整点（図２乃至図４では調整点Ｐ１）の位置が変更される都度、各調整点の位置の変更を受け付け、ガンマ調整画面中のガンマ曲線上の調整点の位置を変更させる。また、マイコン（受付手段）２１は、上述したように、各調整点における出力階調が変更される都度、各調整点における出力階調の変更を受け付け、ガンマ調整画面中のガンマ曲線を変更させる。なお、マイコン２１は、ガンマ曲線を変更させた場合、変更させたガンマ曲線に基づいてＬＵＴ２２ａを新たに生成し、メモリ２２に記憶させる。
【００７１】
更に、マイコン２１は、メモリ２２に記憶させた新しいＬＵＴ２２ａをガンマ補正部１９３へ送出して、ガンマ補正部１９３に、このＬＵＴ２２ａに基づくガンマ補正処理を実行させ、処理された映像信号に基づく映像を液晶モジュール２０に表示させる。なお、このとき、ガンマ調整画面はＯＳＤ画面として、映像の上に表示されたままである。
【００７２】
図２に示すガンマ調整画面において、ユーザが「終了」項目を選択した場合、図３に示すガンマ調整画面においてユーザが決定キーを操作して調整点移動の処理を終了させた後に「終了」項目を選択した場合、又は、図４に示すガンマ調整画面においてユーザが決定キーを操作して出力階調の設定処理を終了させた後に「終了」項目を選択した場合、マイコン２１は、図２乃至図４に示すガンマ調整画面の表示を終了させる。具体的には、マイコン２１は、ＯＳＤジェネレータ２４に対して、ガンマ調整画面を表示させるためのＯＳＤ画面データの生成指示を終了する。
【００７３】
上述したように、本実施形態の液晶テレビ１では、ユーザがガンマ曲線の一部を任意に変更することができるので、ユーザの好みの画質を実現できるガンマ補正処理の実行が可能となる。また、ユーザが任意に変更できるガンマ曲線の範囲を、映像信号のＹ信号（輝度）におけるヒストグラムに基づいて自動的に決定しておくことにより、どの範囲内でガンマ曲線を変更させるか否かの判断の手間を省くと共に、映像信号に影響を与えない範囲でのガンマ曲線の変更等、無駄な操作を回避することができ、操作性を向上させることができる。
【００７４】
また、図２乃至図４に示すように、映像信号のＹ信号におけるヒストグラムと、ガンマ曲線とを同時表示させることにより、両者の関係が把握し易く、ヒストグラムに基づいてガンマ曲線の変更を設定することができるので、適切な設定処理が可能となる。また、ガンマ調整画面を介してガンマ曲線の変更が設定される都度、ＬＵＴ２２ａを更新すると共に、現在表示中の映像に対して、更新されたＬＵＴ２２ａに基づくガンマ補正処理を実行することにより、ユーザが変更したガンマ曲線を用いたガンマ補正処理の影響を逐次確認することができる。
【００７５】
なお、ＬＵＴ２２ａは、ガンマ曲線が変更される都度、更新するようにしてもよいし、例えば、ユーザ毎にメモリ２２に登録しておくようにしてもよい。また、ニュース、映画、スポート等、映像信号のジャンル毎にＬＵＴ２２ａを用意しておいてもよい。
【００７６】
上述したように、本実施形態の液晶テレビ１において、ガンマ補正部１９３は、ＬＵＴ２２ａを用いてガンマ補正処理を行なうことによって処理の高速化を図ることができる。しかし、このような構成に限られず、ガンマ調整画面を介して変更されたガンマ曲線を示す関数を算出しておき、この関数に従ったガンマ補正処理を行なう構成でもよい。即ち、ガンマ補正部１９３は、映像処理部１９１から入力される映像信号の各入力階調（輝度）を、算出しておいた関数に代入することによって出力階調（輝度）を算出し、算出した出力階調を出力部１９４へ送出すればよい。
【００７７】
図６はガンマ調整画面に表示されるガンマ曲線及びヒストグラムの例を示す模式図である。図６（ａ）には、図２乃至図４に示したガンマ調整画面中のガンマ曲線及びヒストグラムと同様のガンマ曲線及びヒストグラムを示しており、図６（ｂ）には、図６（ａ）に示すガンマ曲線及びヒストグラムの拡大図を示している。図６（ａ）中のヒストグラムが示すように、映像信号のＹ信号が中間階調に集中している場合、最小点Pminから最大点Pmaxまでの範囲を拡大表示するようにしてもよい。
【００７８】
このような構成とすることにより、変更が可能な範囲におけるガンマ曲線を拡大表示できるので見易くなり、例えば、調整点の位置を詳細に設定する場合、各調整点における出力階調を詳細に設定する場合に有効である。なお、映像信号のＹ信号が所定範囲内の階調に集中している場合も、同様に所定範囲を拡大表示すればよい。
【００７９】
以下に、本実施形態の液晶テレビ１において、ガンマ補正部１９３が行なうガンマ補正処理に用いるガンマ曲線（具体的にはＬＵＴ２２ａ）を設定（変更）する処理についてフローチャートを参照しながら説明する。図７乃至図９は液晶テレビ１によるガンマ曲線設定処理の手順を示すフローチャートである。なお、以下に示す処理手順は一例であってこれに限られるものではない。また、以下の処理は、マイコン２１のＲＯＭに予め格納してある制御プログラムに従ってマイコン２１のＣＰＵが実行する。
【００８０】
液晶テレビ１のユーザは、液晶モジュール２０に表示中の映像を視聴している際にガンマ曲線を変更したい場合、操作部２３を操作してガンマ曲線を設定するためのガンマ設定モードを選択する。マイコン２１は、ガンマ設定モードが選択されたか否かを判断しており（Ｓ１）、選択されていないと判断した場合（Ｓ１：ＮＯ）、待機する。
【００８１】
マイコン２１は、ガンマ設定モードが選択されたと判断した場合（Ｓ１：ＹＥＳ）、ヒストグラム取得部１９２によって生成されたヒストグラムに基づいて、ユーザが任意に変更可能なガンマ曲線の範囲（変更可能範囲）を決定する（Ｓ２）。なお、ヒストグラム取得部１９２は、映像処理部１９１からＹ信号が送出されてくる都度、ヒストグラムを生成している。
【００８２】
マイコン２１は、メモリ２２からデフォルトのＯＳＤ画面データ（ガンマ調整画面データ）を読み出し、読み出したガンマ調整画面データと、ヒストグラム取得部１９２から取得したヒストグラムと、自身が決定した変更可能範囲を示す最小輝度及び最大輝度とをＯＳＤジェネレータ２４へ送出する。よって、マイコン２１は、ＯＳＤジェネレータ２４によって、ヒストグラム、最小点Pmin及び最大点Pmaxが付加されたガンマ調整画面データを生成する（Ｓ３）。
【００８３】
マイコン２１は、生成したガンマ調整画面データを、ビデオプロセッサ１９の出力部１９４へ送出することにより、ガンマ調整画面データに基づくガンマ調整画面を、液晶モジュール２０に表示されている映像の上に重畳させて表示させる（Ｓ４）。なお、ここでは、図２に示すガンマ調整画面が液晶モジュール２０に表示される。
【００８４】
図２に示すガンマ調整画面において、マイコン２１は、ユーザが「新規調整点追加」項目を選択したか否かを判断しており（Ｓ５）、選択したと判断した場合（Ｓ５：ＹＥＳ）、ガンマ調整画面中のガンマ曲線の最小点Pminの近傍に新規調整点Ｐ１を追加して表示させる（Ｓ６）。具体的には、マイコン２１は、最小点Pminの近傍に新規調整点Ｐ１が追加されたガンマ調整画面データを生成してビデオプロセッサ１９の出力部１９４へ送出し、このガンマ調整画面データに基づくガンマ調整画面を液晶モジュール２０に表示させる。マイコン２１は、ユーザが「新規調整点追加」項目を選択していないと判断した場合（Ｓ５：ＮＯ）、ステップＳ６の処理をスキップする。
【００８５】
図２に示すガンマ調整画面において、マイコン２１は、ユーザが「調整点移動」項目を選択したか否かを判断しており（Ｓ７）、選択していないと判断した場合（Ｓ７：ＮＯ）、ステップＳ１３へ処理を移行する。マイコン２１は、選択したと判断した場合（Ｓ７：ＹＥＳ）、図３に示すようなメニューを表示させ、ユーザが左右キーを操作することによって調整点の移動を受け付けたか否かを判断する（Ｓ８）。移動を受け付けたと判断した場合（Ｓ８：ＹＥＳ）、マイコン２１は、受け付けた移動に従って、現在選択されている調整点を移動させる（Ｓ９）。
【００８６】
具体的には、マイコン２１は、ユーザが左キー（又は右キー）を操作した場合、現在選択されている調整点をガンマ曲線に沿って入力階調が低階調（又は高階調）の位置に移動させたガンマ調整画面データを生成してビデオプロセッサ１９の出力部１９４へ送出し、このガンマ調整画面データに基づくガンマ調整画面を液晶モジュール２０に表示させる。
【００８７】
調整点の移動を受け付けていないと判断した場合（Ｓ８：ＮＯ）、マイコン２１は、ステップＳ９の処理をスキップし、ユーザが上下キーを操作することによって調整点の選択を受け付けたか否かを判断する（Ｓ１０）。調整点の選択を受け付けたと判断した場合（Ｓ１０：ＹＥＳ）、マイコン２１は、位置を移動させる処理の対象の調整点を変更し（Ｓ１１）、ステップＳ８へ処理を戻す。
【００８８】
具体的には、マイコン２１は、ユーザが上キー（又は下キー）を操作した場合、現在選択されている調整点よりも入力階調が高階調（又は低階調）の調整点を処理対象に変更させる。そして、マイコン２１は、この調整点を処理対象としたガンマ調整画面データを生成してビデオプロセッサ１９の出力部１９４へ送出し、このガンマ調整画面データに基づくガンマ調整画面を液晶モジュール２０に表示させる。
【００８９】
調整点の選択を受け付けていないと判断した場合（Ｓ１０：ＮＯ）、マイコン２１は、ユーザが決定キーを操作することによって調整点の位置を移動させる処理の終了を受け付けたか否かを判断する（Ｓ１２）。終了を受け付けていないと判断した場合（Ｓ１２：ＮＯ）、マイコン２１は、ステップＳ８へ処理を戻す。
【００９０】
終了を受け付けたと判断した場合（Ｓ１２：ＹＥＳ）、又は図２に示すガンマ調整画面において、ユーザが「調整点移動」項目を選択していないと判断した場合（Ｓ７：ＮＯ）、マイコン２１は、ガンマ調整画面において、ユーザが「出力階調設定」項目を選択したか否かを判断する（Ｓ１３）。選択していないと判断した場合（Ｓ１３：ＮＯ）、マイコン２１は、ステップＳ２２へ処理を移行する。
【００９１】
マイコン２１は、選択したと判断した場合（Ｓ１３：ＹＥＳ）、図４に示すようなメニューを表示させ、ユーザが上下キーを操作することによって調整点における出力階調の変更を受け付けたか否かを判断する（Ｓ１４）。出力階調の変更を受け付けたと判断した場合（Ｓ１４：ＹＥＳ）、マイコン２１は、現在選択されている調整点に対する出力階調を変更させると共に、ガンマ調整画面中のガンマ曲線を変更させて表示させる（Ｓ１５）。
【００９２】
具体的には、マイコン２１は、ユーザが上キー（又は下キー）を操作した場合、現在選択されている調整点に対応する出力階調を高階調（又は低階調）の位置に所定量だけ移動させると共に、この移動に伴ってガンマ曲線を変更（補間）する。そして、マイコン２１は、変更させたガンマ曲線を表示したガンマ調整画面データを生成してビデオプロセッサ１９の出力部１９４へ送出し、このガンマ調整画面データに基づくガンマ調整画面を液晶モジュール２０に表示させる。
【００９３】
マイコン２１は、ステップＳ１５で変更したガンマ曲線に基づいてＬＵＴ２２ａを新たに生成し、メモリ２２に記憶させる（Ｓ１６）。マイコン２１は、メモリ２２に記憶させた新しいＬＵＴ２２ａに基づくガンマ補正処理をガンマ補正部１９３に実行させ（Ｓ１７）、映像処理部１９１からガンマ補正部１９３に送出されてくる映像信号に対して、新しいＬＵＴ２２ａに基づくガンマ補正処理を行ない、得られた映像信号に基づく映像を出力部１９４を介して液晶モジュール２０に表示させる（Ｓ１８）。
【００９４】
新しいＬＵＴ２２ａに基づくガンマ補正処理を行なった映像信号に基づく映像を表示させた後、又は調整点の出力階調の変更を受け付けていないと判断した場合（Ｓ１４：ＮＯ）、マイコン２１は、図４に示すガンマ調整画面において、ユーザが左右キーを操作することによって調整点の選択を受け付けたか否かを判断する（Ｓ１９）。調整点の選択を受け付けたと判断した場合（Ｓ１９：ＹＥＳ）、マイコン２１は、出力階調を変更させる処理の対象の調整点を変更し（Ｓ２０）、ステップＳ１４へ処理を戻す。
【００９５】
具体的には、マイコン２１は、ユーザが左キー（又は右キー）を操作した場合、現在選択されている調整点よりも入力階調が低階調（又は高階調）の調整点を処理対象に変更させる。そして、マイコン２１は、この調整点を処理対象としたガンマ調整画面データを生成してビデオプロセッサ１９の出力部１９４へ送出し、このガンマ調整画面データに基づくガンマ調整画面を液晶モジュール２０に表示させる。
【００９６】
調整点の選択を受け付けていないと判断した場合（Ｓ１９：ＮＯ）、マイコン２１は、ユーザが決定キーを操作することによって調整点における出力階調を変更させる処理の終了を受け付けたか否かを判断する（Ｓ２１）。終了を受け付けていないと判断した場合（Ｓ２１：ＮＯ）、マイコン２１は、ステップＳ１４へ処理を戻す。
【００９７】
終了を受け付けたと判断した場合（Ｓ２１：ＹＥＳ）、又は図２に示すガンマ調整画面において、ユーザが「出力階調設定」項目を選択していないと判断した場合（Ｓ１３：ＮＯ）、マイコン２１は、図２に示すガンマ調整画面において、ユーザが「終了」項目を選択したか否かを判断する（Ｓ２２）。マイコン２１は、選択していないと判断した場合（Ｓ２２：ＮＯ）、ステップＳ５へ処理を移行し、上述したステップＳ５〜Ｓ２２の処理を繰り返す。マイコン２１は、選択したと判断した場合（Ｓ２２：ＹＥＳ）、ガンマ調整画面の表示を終了し、上述したガンマ曲線の設定処理を終了する。
【００９８】
上述した実施形態では、図２乃至図５に示すように、ガンマ調整画面を介して１つ又は２つの調整点を設定した例について説明したが、最小点Pminから最大点Pmaxまでの間に設定できる調整点の数はこれらに限られない。また、図５（ｂ）に示すように、複数の調整点が設定された場合、それぞれの調整点を異なる色で表示させてもよく、また、現在選択されている調整点のみを他の調整点とは異なる色で表示させるようにしてもよい。このように構成することによって、ユーザが、調整点の選択、調整点の移動、調整点に対する出力階調の変更等の操作を行なう際に、処理対象の調整点を容易に見分けることができる。
【００９９】
上述した実施形態では、図２乃至図４に示すように、ガンマ調整画面にガンマ曲線及びヒストグラムが表示される例について説明した。しかし、例えば、ヒストグラムを表示させずに、最小点Pmin及び最大点Pmaxが付加されたガンマ曲線のみをＯＳＤ画面として映像の上に表示させる構成であってもよい。このような構成においても、ユーザが任意に変更できるガンマ曲線の範囲を自動的に決定するので、どの範囲内でガンマ曲線を変更させるか否かの判断の手間を省くと共に、映像信号に影響を与えない範囲でのガンマ曲線の変更等、無駄な操作を回避することができる。
【０１００】
上述した実施形態では、ガンマ調整画面をＯＳＤ画面として液晶モジュール２０に表示中の映像に重畳させて表示させる構成を例に説明した。しかし、このような構成に限られず、ガンマ調整画面のみを液晶モジュール２０の全体に表示させるようにしてもよい。
【図面の簡単な説明】
【０１０１】
【図１】本実施形態に係る液晶テレビの構成例を示すブロック図である。
【図２】ガンマ調整画面の構成例を示す模式図である。
【図３】ガンマ調整画面の構成例を示す模式図である。
【図４】ガンマ調整画面の構成例を示す模式図である。
【図５】ガンマ調整画面を介して変更されたガンマ曲線の例を示す模式図である。
【図６】ガンマ調整画面に表示されるガンマ曲線及びヒストグラムの例を示す模式図である。
【図７】液晶テレビによるガンマ曲線設定処理の手順を示すフローチャートである。
【図８】液晶テレビによるガンマ曲線設定処理の手順を示すフローチャートである。
【図９】液晶テレビによるガンマ曲線設定処理の手順を示すフローチャートである。
【符号の説明】
【０１０２】
１  液晶テレビ（画像処理装置）
１９  ビデオプロセッサ
１９２  ヒストグラム取得部（生成手段）
１９３  ガンマ補正部（補正手段）
１９４  出力部（表示制御手段）
２１  マイコン（決定手段、受付手段）
２２  メモリ（記憶手段）
２４  ＯＳＤジェネレータ（表示画面情報生成手段）
【図１】
2010016555.tif 000003
【図２】
2010016555.tif 000004
【図３】
2010016555.tif 000005
【図４】
2010016555.tif 000006
【図５】
2010016555.tif 000007
【図６】
2010016555.tif 000008
【図７】
2010016555.tif 000009
【図８】
2010016555.tif 000010
【図９】
2010016555.tif 000011